(57)【要約】【課題】機器本体と操作部が設けられたディスプレイとの距離に応じて車載用の機器として最適な制御を行う。【解決手段】ナビゲーション装置１は、第１ブルートゥース装置３１を有する装置本体１０と、装置本体１０に着脱可能に設けられるともともに、第１ブルートゥース装置３１と無線通信を行う第２ブルートゥース装置を備えた表示操作パネル１１と、を備え、表示操作パネル１１が前記装置本体に装着されているか否かを検出し、表示操作パネル１１が装置本体１０に装着されていないことを検出した場合に、無線通信における送信電力を表示操作パネル１１が装置本体１０装着されている場合の送信電力よりも高くするためのコマンドを装置本体１０あるいは表示操作パネル１１のうちいずれか一方から他方に無線通信により送信する。【選択図】図４
2009120053.tif 000002
【特許請求の範囲】
【請求項１】
第１近距離無線通信装置を有する装置本体と、
当該車載用機器の操作を行うために前記装置本体に着脱可能に設けられ、前記第１近距離無線通信装置と前記装置本体を遠隔操作するための遠隔操作無線通信を含む無線通信を行う第２近距離無線通信装置を有する表示操作パネルと、を備え、
前記表示操作パネルが前記装置本体に装着されているか否かを検出する装着検出部と、
前記装着検出部により前記表示操作パネルが前記装置本体に装着されていないことを検出した場合に、前記無線通信における送信電力を、前記表示操作パネルが前記装置本体に装着されている場合の送信電力よりも高くするためのコマンドを前記装置本体あるいは前記表示操作パネルのうちいずれか一方から他方に前記無線通信により送信するコマンド送信部と、
を備えたことを特徴とする車載用機器。
【請求項２】
請求項１記載の車載用機器において、
前記装置本体は、前記表示操作パネルと前記無線通信が可能か否かを判別するための接続確認を前記無線通信を介して行い、
前記無線通信を介して前記接続確認が所定時間以上継続して行えなかった場合に、動作モードを通常モードから盗難防止モードに移行し、前記盗難防止モードを解除する所定の解除操作以外の操作を禁止する、
ことを特徴とする車載用機器。
【請求項３】
請求項２記載の車載用機器において、
前記装置本体は、前記盗難防止モードにおいても所定のタイミングで前記接続確認を行い、
前記解除操作は、所定の暗証番号を入力する操作である、
ことを特徴とする車載用機器。
【請求項４】
請求項２又は請求項３記載の車載用機器において、
前記盗難防止モードに移行してから第２の所定時間以内に前記接続確認がなされた場合には、前記解除操作を行うことなく前記通常モードに移行する、
ことを特徴とする車載用機器。
【請求項５】
第１近距離無線通信装置を有する装置本体と、当該車載用機器の操作を行うために前記装置本体に着脱可能に設けられ、前記第１近距離無線通信装置と前記装置本体を遠隔操作するための遠隔操作無線通信を含む無線通信を行う第２近距離無線通信装置を備えた表示操作パネルと、を備えた車載用機器の制御方法において、
前記表示操作パネルが前記装置本体に装着されているか否かを検出する装着検出過程と、
前記表示操作パネルが前記装置本体に装着されていないことが検出された場合に、前記無線通信における送信電力を、前記表示操作パネルが前記装置本体に装着されている場合の送信電力よりも高くするためのコマンドを前記装置本体あるいは前記表示操作パネルのうちいずれか一方から他方に前記無線通信により送信するコマンド送信過程と、
を備えたことを特徴とする車載用機器の制御方法。
【請求項６】
第１近距離無線通信装置を有する装置本体と、当該車載用機器の操作を行うために前記装置本体に着脱可能に設けられるともともに、前記第１近距離無線通信装置と前記装置本体を遠隔操作するための遠隔操作無線通信を含む無線通信を行う第２近距離無線通信装置を備えた表示操作パネルと、を備えた車載用機器をコンピュータにより制御するための制御プログラムにおいて、
前記表示操作パネルが前記装置本体に装着されているか否かを検出させ、
前記表示操作パネルが前記装置本体に装着されていないことが検出された場合に、前記無線通信における送信電力を、前記表示操作パネルが前記装置本体に装着されている場合の送信電力よりも高くするためのコマンドを前記装置本体あるいは前記表示操作パネルのうちいずれか一方から他方に前記無線通信により送信させる、
ことを特徴とする制御プログラム。
【発明の詳細な説明】
【技術分野】
【０００１】
本発明は、車載用機器、車載用機器の制御方法及び制御プログラムに係り、特に機器本体と操作パネルが無線接続されている車載用機器、車載用機器の制御方法及び制御プログラムに関する。
【背景技術】
【０００２】
従来、ディジタルカメラ等のディスプレイを有する携帯型の機器において、画面表示を行うとともに操作部が設けられたディスプレイを機器本体に対して着脱可能とし、リモートコントロール装置として利用するものが提案されている（例えば、特許文献１、特許文献２参照）。
これらは、ディスプレイをファインダとしてユーザが利用し、さらに操作を行うことができるようにし、て撮影態様のバリエーションを増やすために提案されている。
【特許文献１】特開２００２−５７９３４号公報
【特許文献２】特表２００６−５０９４６０号公報
【発明の開示】
【発明が解決しようとする課題】
【０００３】
ところで、上記従来の携帯型の機器は、操作部が設けられたディスプレイが機器本体から取り外された場合には、操作部が設けられた当該ディスプレイをリモートコントロールユニットとして機能するに留まり、機器本体と操作部が設けられたディスプレイとの距離関係に基づいて制御を行うものではなかった。
そこで、本発明の目的は、機器本体と操作部が設けられたディスプレイとの距離に応じて車載用の機器として最適な制御を行える車載用機器、車載用機器の制御方法及び制御プログラムを提供することにある。
【課題を解決するための手段】
【０００４】
上記課題を解決するため、車載用機器は、第１近距離無線通信装置を有する装置本体と、当該車載用機器の操作を行うために前記装置本体に着脱可能に設けられ、前記第１近距離無線通信装置と前記装置本体を遠隔操作するための遠隔操作無線通信を含む無線通信を行う第２近距離無線通信装置を有する表示操作パネルと、を備え、前記表示操作パネルが前記装置本体に装着されているか否かを検出する装着検出部と、前記装着検出部により前記表示操作パネルが前記装置本体に装着されていないことを検出した場合に、前記無線通信における送信電力を、前記表示操作パネルが前記装置本体に装着されている場合の送信電力よりも高くするためのコマンドを前記装置本体あるいは前記表示操作パネルのうちいずれか一方から他方に前記無線通信により送信するコマンド送信部と、を備えたことを特徴としている。
【０００５】
上記構成によれば、装着検出部は、表示操作パネルが装置本体に装着されているか否かを検出する。
コマンド送信部は、装着検出部により表示操作パネルが装置本体に装着されていないことを検出した場合に、無線通信における送信電力を、表示操作パネルが装置本体に装着されている場合の送信電力よりも高くするためのコマンドを装置本体あるいは表示操作パネルのうちいずれか一方から他方に無線通信により送信する。
したがって、距離に応じた送信電力で通信を行え、消費電力を低減し、使い勝手を向上させることができる。
【０００６】
この場合において、前記装置本体は、前記表示操作パネルと前記無線通信が可能か否かを判別するための接続確認を前記無線通信を介して行い、前記無線通信を介して前記接続確認が所定時間以上継続して行えなかった場合に、動作モードを通常モードから盗難防止モードに移行し、前記盗難防止モードを解除する所定の解除操作以外の操作を禁止する、ことを特徴としている。
上記構成によれば、ユーザは、表示操作パネルを取り外して無線通信が行えないような状況にするだけで、装置本体を盗難防止モードに移行させることができ、ユーザが操作状態を意識することなく、盗難を抑制することができる。
【０００７】
また、前記装置本体は、前記盗難防止モードにおいても所定のタイミングで前記接続確認を行い、前記解除操作は、所定の暗証番号を入力する操作であるようにしてもよい。
また、前記盗難防止モードに移行してから第２の所定時間以内に前記接続確認がなされた場合には、前記解除操作を行うことなく前記通常モードに移行するようにしてもよい。
【０００８】
また、第１近距離無線通信装置を有する装置本体と、当該車載用機器の操作を行うために前記装置本体に着脱可能に設けられ、前記第１近距離無線通信装置と前記装置本体を遠隔操作するための遠隔操作無線通信を含む無線通信を行う第２近距離無線通信装置を有する表示操作パネルと、を備えた車載用機器の制御方法において、前記表示操作パネルが前記装置本体に装着されているか否かを検出する装着検出過程と、前記表示操作パネルが前記装置本体に装着されていないことが検出された場合に、前記無線通信における送信電力を、前記表示操作パネルが前記装置本体に装着されている場合の送信電力よりも高くするためのコマンドを前記装置本体あるいは前記表示操作パネルのうちいずれか一方から他方に前記無線通信により送信するコマンド送信過程と、を備えたことを特徴としている。
【０００９】
また、第１近距離無線通信装置を有する装置本体と、当該車載用機器の操作を行うために前記装置本体に着脱可能に設けられ、前記第１近距離無線通信装置と前記装置本体を遠隔操作するための遠隔操作無線通信を含む無線通信を行う第２近距離無線通信装置を有する表示操作パネルと、を備えた車載用機器をコンピュータにより制御するための制御プログラムにおいて、前記表示操作パネルが前記装置本体に装着されているか否かを検出させ、前記表示操作パネルが前記装置本体に装着されていないことが検出された場合に、前記無線通信における送信電力を、前記表示操作パネルが前記装置本体に装着されている場合の送信電力よりも高くするためのコマンドを前記装置本体あるいは前記表示操作パネルのうちいずれか一方から他方に前記無線通信により送信させる、ことを特徴としている。
【発明の効果】
【００１０】
本発明によれば、機器本体と操作部が設けられたディスプレイとの距離に応じて車載用の機器として最適な制御を行え、ユーザの利便性を向上することができる。
【発明を実施するための最良の形態】
【００１１】
次に本発明の好適な実施の形態について図面を参照して説明する。
図１は、本実施の形態に係る車載用機器としてのナビゲーション装置の外観斜視図である。
図２は、本実施の形態に係るナビゲーション装置において表示操作パネルを傾斜させた場合の外観斜視図である。
図３は、本実施の形態に係る車載用機器としてのナビゲーション装置の側面図である。
ナビゲーション装置１は、車両に搭載されて経路案内を行うものであり、図１に示すように、車両のダッシュボード２に設けられた所定の収納スペースに嵌め込まれる装置本体１０と、この装置本体１０の正面に着脱可能に支持された表示操作パネル１１と、を備えている。
表示操作パネル１１は、枠体としてのフェイスパネル１２と、このフェイスパネル１２上に設けられた複数の操作スイッチ１３と、フェイスパネル１２に嵌め込まれた表示パネル１４と、を有している。この表示パネル１４には、現在地点の周辺地図、車両の現在位置、及び、目的地までの経路が表示され、これにより経路案内が行われる。
【００１２】
表示操作パネル１１は、図３に示すように、装置本体１０の正面に設けられた収納部１５に装置本体１０側に設けられたジョイントプレート１０Ａを介して装置本体１０に対して着脱可能に取り付けられている。そして、表示操作パネル１１は、図３中、符号１１Ｘあるいは符号１１Ｙで示すように、ジョイントプレート１０Ａに支持された状態で、装置本体１０に対して傾斜自在となっている。
装置本体１０は、図２に示すように、収納部１５両側の側壁１６の面内に上下に延びるガイド溝１７が形成され、ジョイントプレート１０Ａの上方両端側に設けられた突起１８が上記ガイド溝１７に移動自在に取り付けられるとともに、ジョイントプレート１０Ａの下方両端側に押出機構１９が取り付けられている。この押出機構１９は、装置本体１０の正面に向けて突出し、ジョイントプレート１０Ａ、ひいては、表示操作パネル１１の下端部を傾けつつ押し出すものである。
さらに押出機構１９は、図示せぬモータによって突出駆動されるスライドバー２０を有し、このスライドバー２０の先端がジョイントプレート１０Ａの側面下方に軸ピン２０Ａにより連結され、ジョイントプレート１０Ａ、ひいては、表示操作パネル１１を傾斜自在に支持している。
【００１３】
すなわち、押出機構１９による表示操作パネル１１の下端部の押し出し動作に伴い、突起１８がガイド溝１７に沿って下方側に移動することで、表示操作パネル１１が傾動し、図２に示すように、表示操作パネル１１が開かれ、そして、装置本体１０の正面が露出する。これとは逆に、押出機構１９がジョイントプレート１０Ａ、ひいては、表示操作パネル１１の下端部を引き戻し、突起１８がガイド溝１７に沿って上方側に移動することで、前掲図１に示すように表示操作パネル１１が閉じ、装置本体１０が表示操作パネル１１に覆われた状態となる。この表示操作パネル１１の開閉動作、すなわち、上記スライドバー２０を駆動する図示せぬモータの始動は、表示操作パネル１１のフェイスパネル１２上に配設された操作スイッチ１３の操作に基づいて行われる。
さらに、ジョイントプレート１０Ａには、表示操作パネル１１が装着されている場合にオフ状態となり、表示操作パネル１１のジョイントプレート１０Ａに対する装着／非装着を検出するための着脱センサ１０Ｂ（図３参照）が設けられている。
【００１４】
装置本体１０の正面には、図２に示すように、メモリカード等のカード型記録媒体が挿入されるカード挿入口２１や、このカード挿入口２１からカード型記録媒体を排出するための排出ボタン２２、ＣＤ（Ｃｏｍｐａｃｔ  Ｄｉｓｃ）或いはＤＶＤ（Ｄｉｇｉｔａｌ  Ｖｅｒｓａｔｉｌｅ  Ｄｉｓｃ）等のディスク型記録媒体（光ディスク）が挿入されるディスク挿入口２３、ディスク挿入口２３からディスク型記録媒体を排出するための排出ボタン２４などが設けられている。これらの挿入口２１、２３は、上述の通り、通常時は表示操作パネル１１により覆われており、操作スイッチ１３を操作して表示操作パネル１１を開くことで、挿入口２１、２３にアクセス可能となる。
【００１５】
図４は、ナビゲーション装置の内部構成説明図である。
装置本体１０内部には、表示操作パネル１１と近距離無線通信を行うブルートゥース（登録商標）規格に則った第１ブルートゥース回路３１と、カード挿入口２１に対応するカードリーダライタ３２と、ディスク挿入口２３に対応するディスクドライブ装置３３と、を備えている。
次に、表示操作パネル１１の構成について説明する。
表示操作パネル１１は、液晶パネル４１と、この液晶パネル４１を駆動する駆動回路及び表示操作パネル１１全体を制御するためのコントローラが形成された回路基板４２と、液晶パネル４１の表示面４１Ａ全体を覆うように設けられたタッチパネル４３と、装置本体１０の第１ブルートゥース回路３１と近距離無線通信を行う第２ブルートゥース回路４４と、を有している。
回路基板４２は、装置本体１０への装着時に装置本体１０のジョイントプレート１０Ａおよびフレキシブル基板１０Ｃを介して電源が供給される電源コネクタ４２Ａを有している。
【００１６】
タッチパネル４３には、抵抗膜方式のものが用いられ、透明度（光透過度）が高く、液晶パネル４１の表示がタッチパネル４３を介しても視認可能になされている。このように、ナビゲーション装置１にあっては、フェイスパネル１２に設けた操作スイッチ１３に加え、タッチパネル４３による操作も可能となっている。なお、液晶パネル４１に代えて、例えば有機ＥＬ（Ｅｌｅｃｔｒｏ−Ｌｕｍｉｎｅｓｃｅｎｃｅ）パネル等を用いることも可能である。
【００１７】
次に実施形態の動作について説明する。
図５は、実施形態の処理フローチャートである。
図６は、表示操作パネルを装置本体から取り外してリモートコントロール装置として使用する場合の状態説明図である。
この場合において、初期状態においては、表示操作パネル１１は、装置本体１０に装着状態にあるものとする。
まず、着脱式の表示操作パネル１１の着脱状態を検出するための着脱センサがオン状態であるか否か、すなわち、装置本体１０から着脱式の表示操作パネル１１が外された状態となったか否かを判別する（ステップＳ１１）
ステップＳ１１の判別において、着脱センサがオン状態である場合（ステップＳ１１；Ｙｅｓ）、すなわち、装置本体１０から着脱式の表示操作パネル１１が、図６に示すように、取り外された場合には（ステップＳ１１；Ｙｅｓ）、装置本体１０の図示しないコントローラは、通信時の出力レベルを高レベルとするコマンドを第１ブルートゥース回路３１を介して表示操作パネル１１の第２ブルートゥース回路４４に送信し、表示操作パネル１１のコントローラは、第２ブルートゥース回路４４の送信出力を高くするように制御を行う（ステップＳ１２）。ここで、送信出力を高くすると言うのは、表示操作パネル１１を車内でリモートコントロール装置として使用するのに十分な出力にするという意味であり、例えば、半径３ｍ以内であれば通信を行えるよな送信出力にすればよい。逆に表示操作パネル１１が装置本体１０に装着されている状態では、例えば、半径２０ｃｍ以内で通信が行えるような送信出力にされている。
【００１８】
なお、表示操作パネル１１が、送信出力を高くするように動作するのは、後述する定期通信処理が行われている期間中および定期通信処理が最後に行われてから、所定時間が経過するまでであり、表示操作パネル１１が装置本体１０から取り外された状態で、定期通信を行えない状態（例えば、ユーザが降車して、車両から離れた様な状態）では電池の消耗を防ぐために出力を下げ、あるいは、出力を停止することとなる。
続いて、装置本体１０のコントローラは、第１ブルートゥース回路３１を介して、いまだ第２ブルートゥース回路４４が通信可能な領域に存在するか否かを確認するための定期通信処理を通常頻度に相当するタイミングで行うこととなる（ステップＳ１３）。
続いて、装置本体１０のコントローラは、定期通信処理が成功したか否かを判別する（ステップＳ１４）。
【００１９】
ステップＳ１４の判別において、定期通信処理が成功した場合には（ステップＳ１４；Ｙｅｓ）、通常モード処理に移行し、表示操作パネル１１からユーザのリモートコントロール操作におけるコマンドやデータの送信に対応する処理を行ったり、表示操作パネル１１の液晶パネル４１に各種表示を行わせるための処理を行ったりして、所定の定期通信処理タイミングにおいて、処理を再びステップＳ１３に移行する。
ステップＳ１４の判別において、定期通信処理が不成功だった場合には、所定回数連続して定期通信処理が不成功だったか否かを判別する（ステップＳ１６）。
このように所定回数連続して定期通信処理が不成功か否かを判別しているのは、このような場合には、ユーザが盗難防止のために表示操作パネル１１を取り外して、降車してしまった可能性を判別するためである。すなわち、所定回数連続して定期通信処理が不成功だった場合には、降車したものと判断されることとなる。
【００２０】
ステップＳ１６の判別において、定期通信処理が連続して不成功だった回数が所定回数未満である場合には（ステップＳ１６；Ｎｏ）、いまだユーザは降車していないと考えられるので、再び処理をステップＳ１３に移行し、以下、同様の処理を行う。
ステップＳ１６の判別において、定期通信処理が連続して不成功だった回数が所定回数を超えた場合には、ユーザは既に降車したと考えられるので、装置本体１０のコントローラは、動作モードを盗難防止モードに移行し、盗難防止モードの解除処理以外の処理は受け付けない状態となる（ステップＳ１７）。
この場合において、盗難防止モードに移行してから、所定時間（第２の所定時間に相当）内に定期通信が行えるようになった場合には、たまたま定期通信処理が連続して不成功だったものとして、盗難防止モードの解除処理を行うことなく、通常モードに復帰するように構成することも可能である。
【００２１】
次に盗難防止モードにおける処理について説明する。
図７は、盗難防止モードにおける処理フローチャートである。
盗難防止モードにおいて、装置本体１０のコントローラは、第１ブルートゥース回路３１を介して、いまだ第２ブルートゥース回路４４が通信可能な領域に存在するか否かを確認するための定期通信処理を通常頻度よりも低い待機時頻度に相当するタイミングで行うこととなる（ステップＳ２１）。
続いて、装置本体１０のコントローラは、定期通信処理が成功したか否かを判別する（ステップＳ２２）。
ステップＳ１４の判別において、定期通信処理が成功した場合には（ステップＳ１４；Ｙｅｓ）、装置本体１０のコントローラは、着脱式の表示操作パネル１１の着脱状態を検出するための着脱センサがオフ状態であるか否か、すなわち、装置本体１０から着脱式の表示操作パネル１１が装着された状態となったか否かを判別する（ステップＳ２３）
【００２２】
ステップＳ２３の判別において、着脱センサがオフ状態ではなくオン状態である場合（ステップＳ２３；Ｎｏ）、には、すなわち、装置本体１０から着脱式の表示操作パネル１１が、いまだ図６に示すように、取り外されたままである場合には（ステップＳ１１；Ｙｅｓ）、処理をステップＳ２５に移行する。
ステップＳ２３の判別において、着脱センサがオフ状態である場合には（ステップＳ１１；Ｙｅｓ）、装置本体１０のコントローラは、通信時の出力レベルを低レベル（通常レベル）とするコマンドを第１ブルートゥース回路３１を介して表示操作パネル１１の第２ブルートゥース回路４４に送信し、表示操作パネル１１のコントローラは、第２ブルートゥース回路４４の送信出力を低くするように制御を行う（ステップＳ１２）。
続いて、装置本体１０のコントローラは、表示操作パネル１１のタッチパネル４３および第２ブルートゥース回路４４を介して、ユーザに盗難防止モードを解除して通常モードに移行するための暗証番号入力を行わせる暗証番号入力処理を行う（ステップＳ２５）。
具体的には、表示操作パネル１１の液晶パネル４１に盗難防止モードを解除するためには暗証番号の入力が必要な旨を表示し、所定待機時間が経過するまで入力待ち状態となる。
続いて、装置本体１０のコントローラは、タッチパネル４３の操作状態に基づいて認証が成功したか否かを判別する（ステップＳ２６）。
【００２３】
具体的には、正しい暗証番号が入力された場合には、認証が成功したとみなし、誤った暗証番号が入力された場合には、その旨を表示するとともに、再度の入力を促す画面を表示することとなる。そして、誤った暗証番号が入力され、再度の入力画面を表示してから所定の待機時間が経過し、あるいは、暗証番号の入力無しに所定の待機時間が経過した場合には、認証が不成功だったと判別することとなる。
ステップＳ２６の判別において、認証が成功した場合には（ステップＳ２６；Ｙｅｓ）、動作モードを通常モードに移行することとなる（ステップＳ２７）。
一方、ステップＳ２６の判別において、認証が不成功だった場合には（ステップＳ２６；Ｎｏ）、動作モードを盗難防止モードのままに維持することとなる（ステップＳ２８）。
以上の説明のように、本実施形態によれば、表示操作パネル１１を装置本体１０に装着した状態でコントロール装置として使用し、あるいは、通信圏内で表示画面付きのリモートコントロール装置として使用することが可能となる。
【００２４】
したがって、表示画面付きのリモートコントロール装置として使用する場合には、車内の所望の位置、例えば、ダッシュボード上などに取り付けて使用することも可能であるので、視認性の向上および操作性の向上が図れる。
さらに、表示操作パネル１１が装置本体１０から所定距離以上離間し、通信圏外に至った場合、例えば、ユーザが表示操作パネルを携帯しつつ、降車した場合などには、装置本体１０の動作モードを盗難防止モードに移行させ、当該盗難防止モードの解除操作以外の操作を受け付けなくするので、装置本体１０の通常操作を行うことができず、盗難を抑止し、防止することが可能となる。
【００２５】
以上の説明においては、着脱センサは、装置本体１０、より詳細には、ジョイントプレート１０Ａに設けられていたが、表示操作パネル１１側に設けて、装置本体１０から取り外された場合には、ブルートゥース近距離無線通信装置の送信電力を上げるように制御することも可能である。
さらには、着脱センサを設けず、通信時の電界強度（電波のつながり具合）をみて、送信電力を制御する構成とすることも可能である。
【００２６】
以上の説明は、表示操作パネル１１が電池で駆動され、表示操作パネル１１と装置本体１０とは、ブルートゥースによる近距離無線通信により通信を行う場合のものであったが、ジョイントプレート１０Ａに電源端子および通信端子設け、表示操作パネル１１の装着時には、この電源端子から電源を供給し、表示操作パネル１１の図示しない充電池を充電するようにするとともに、近距離無線通信を停止し、通信端子を介して通信を行うように構成することも可能である。
以上の説明においては、ブルートゥース装置の送信電力を２段階に変更する場合について説明したが、さらに多段階に切り換えるように構成することも可能である。
以上の説明においては、近距離無線通信装置として、ブルートゥース装置を用いていたが、他の近距離無線通信装置であっても同様に適用が可能である。
【図面の簡単な説明】
【００２７】
【図１】本実施の形態に係る車載用機器としてのナビゲーション装置の外観斜視図である。
【図２】本実施の形態に係るナビゲーション装置において表示操作パネルを傾斜させた場合の外観斜視図である。
【図３】本実施の形態に係る車載用機器としてのナビゲーション装置の側面図である。
【図４】ナビゲーション装置の内部構成説明図である。
【図５】実施形態の処理フローチャートである。
【図６】表示操作パネルを装置本体から取り外してリモートコントロール装置として使用する場合の状態説明図である。
【図７】盗難防止モードにおける処理フローチャートである。
【符号の説明】
【００２８】
１  ナビゲーション装置
２  ダッシュボード
１０  装置本体
１０Ａ  ジョイントプレート
１０Ｂ  着脱センサ
１０Ｃ  フレキシブル基板
１１  表示操作パネル
１２  フェイスパネル
１３  操作スイッチ
１４  表示パネル
１５  収納部
１６  側壁
１７  ガイド溝
１８  突起
１９  押出機構
２０  スライドバー
２０Ａ  軸ピン
２１  カード挿入口
２２  排出ボタン
２３  ディスク挿入口
２４  排出ボタン
３１  第１ブルートゥース回路
３２  カードリーダライタ
３３  ディスクドライブ装置
４１  液晶パネル
４１Ａ  表示面
４２  回路基板
４２Ａ  電源コネクタ
４３  タッチパネル
４４  第２ブルートゥース回路
【図１】
2009120053.tif 000003
【図２】
2009120053.tif 000004
【図３】
2009120053.tif 000005
【図４】
2009120053.tif 000006
【図５】
2009120053.tif 000007
【図６】
2009120053.tif 000008
【図７】
2009120053.tif 000009